(57)【要約】【課題】ディスクトレイの停止位置のバラツキが少なく、ディスクトレイの排出停止時や挿入開始時の横揺れも生じない光ディスク装置を、コストアップを招かないで提供する。【解決手段】ディスクトレイ２が停止位置の手前まで排出されると、ディスクトレイに形成したスイッチリブ５０の傾斜部でスイッチレバー４が押されてトレイアウトスイッチ３が作動し、駆動モータへの電圧供給が停止される光ディスク装置において、スイッチリブ５０の傾斜部を凹曲形状の傾斜部５０ａとすることで、ディスクトレイの停止位置のバラツキを少なくする。また、スイッチリブ５０の長さを短縮して、ディスクトレイ２の排出方向Ｙへ少しシフトさせることで、ディスクトレイの横揺れを防止する。【選択図】図３
2008243301.tif 000002
【特許請求の範囲】
【請求項１】
トレイアウトスイッチとこのスイッチを作動させるスイッチレバーを設けたローダーシャーシの内側にディスクトレイを挿入・排出自在に装着し、ディスクトレイが停止位置の手前まで排出されると、ディスクトレイに形成したスイッチリブの直状の傾斜部でスイッチレバーが押されてトレイアウトスイッチが作動し、ディスクトレイの駆動モータへの電圧供給が停止されるようにした光ディスク装置において、
上記直状の傾斜部に代えて凹曲形状の傾斜部を上記スイッチリブに形成し、
上記スイッチレバーが上記凹曲形状の傾斜部で押されて上記トレイアウトスイッチを作動させる範囲まで到達したときの上記傾斜部のスイッチレバー押圧箇所の傾斜角（上記ディスクトレイの移動方向に対する傾斜角）を４５°以上に設定すると共に、上記傾斜部のスイッチリブ頂部側の端部の傾斜角（上記ディスクトレイの移動方向に対する傾斜角）を６０°以下に設定し、
上記スイッチレバーが上記スイッチリブを乗り越えて上記トレイアウトスイッチから離れた後に上記ディスクトレイが停止するように、上記ディスクトレイの移動方向に沿って上記スイッチリブの長さを短縮すると共に、この短縮したスイッチリブを上記ディスクトレイの排出方向へ少しシフトさせ、このスイッチリブの上記傾斜部と反対側に逆傾斜した傾斜部を形成したことを特徴とする光ディスク装置。
【請求項２】
トレイアウトスイッチとこのスイッチを作動させるスイッチレバーを設けたローダーシャーシの内側にディスクトレイを挿入・排出自在に装着し、ディスクトレイが停止位置の手前まで排出されると、ディスクトレイに形成したスイッチリブの直状の傾斜部でスイッチレバーが押されてトレイアウトスイッチが作動し、ディスクトレイの駆動モータへの電圧供給が停止されるようにした光ディスク装置において、
上記直状の傾斜部に代えて凹曲形状の傾斜部を上記スイッチリブに形成したことを特徴とする光ディスク装置。
【請求項３】
上記凹曲形状の傾斜部が円弧形状の傾斜部であることを特徴とする請求項２に記載の光ディスク装置。
【請求項４】
上記スイッチレバーが上記スイッチリブの凹曲形状の傾斜部で押されて上記トレイアウトスイッチを作動させる範囲まで到達したときの上記傾斜部のスイッチレバー押圧箇所の傾斜角（上記ディスクトレイの移動方向に対する傾斜角）を４５°以上に設定すると共に、上記傾斜部のスイッチリブ頂部側の端部の傾斜角（上記ディスクトレイの移動方向に対する傾斜角）を６０°以下に設定したことを特徴とする請求項２又は請求項３に記載の光ディスク装置。
【発明の詳細な説明】
【技術分野】
【０００１】
本発明は、ＤＶＤ、ＣＤ、ＢＤなどの光ディスク装置に関し、特に、ディスクトレイの排出完了時の停止位置のバラツキを少なくすると共に、排出完了時及び挿入開始時のディスクトレイの横揺れを防止できるように改良した光ディスク装置に関する。
【背景技術】
【０００２】
従来の光ディスク装置の一つとして、図７に示すように、ローダーシャーシ１の内側にディスクトレイ２を重ねて挿入・排出自在に装着し、ローダーシャーシ１の前端近傍箇所に、トレイアウトスイッチ３とこのスイッチ３を作動させるスイッチレバー４を設けると共に、ディスクトレイ２の後端近傍箇所の裏面に、直状の傾斜部５ａを有するスイッチリブ５を形成した光ディスク装置が知られている。
【０００３】
この光ディスク装置は、ディスクトレイ２が駆動モータによって排出方向Ｙに移動し、停止位置の手前まで排出されると、スイッチリブ５の直状の傾斜部５ａによってスイッチレバー４のボス部４ａがトレイアウトスイッチ３の方へ押されて該スイッチ３が作動（オン）し、駆動モータへの電圧供給が停止されて、ディスクトレイ２が停止位置で停止するようになっている。このようにディスクトレイ２が停止した状態では、図７に示すように、スイッチレバー４のボス部４ａがスイッチリブ５の頂部に乗り上げており、このボス部４ａによってトレイアウトスイッチ３は押されたままになっている。
【０００４】
一方、ディスクトレイが排出されたとき、ディスクトレイに形成された突起部の直状の傾斜面によってＯＮ・ＯＦＦレバーの円形押し部が検出スイッチの方へ押されて突起部に乗り上げ、検出スイッチがＯＮされてディスクトレイがオープン状態（排出状態）であることを検出するようにしたディスク装置も知られている（特許文献１）。
【特許文献１】特開２００６−１８９５９号公報
【発明の開示】
【発明が解決しようとする課題】
【０００５】
しかしながら、図８に模式的に示すように、トレイアウトスイッチ３には、スイッチレバー４のボス部４ａで破線Ｌ１まで少し押すだけで作動（ＯＮ）するものもあれば、破線Ｌ２まで大きく押さないと作動（ＯＮ）しないものもあるため、上述した従来の光ディスク装置のようにスイッチリブ５の傾斜部５ａが直状であると、トレイアウトスイッチ３の作動のバラツキがそのままディスクトレイ２の停止位置に反映し、一点鎖線Ｌ３から一点鎖線Ｌ４までの範囲でディスクトレイ２の停止位置にバラツキが生じる。この停止位置のバラツキの範囲は、ディスクトレイ２の移動方向（Ｘ−Ｙ方向）に対するスイッチリブ５の傾斜部５ａの傾斜角θが小さくなるほど、広くなる。
【０００６】
ディスクトレイ２の停止位置のバラツキの範囲は、スイッチリブ５の傾斜部５ａの傾斜角θを大きく設定すればするほど減少するが、傾斜角θをあまり大きく設定すると、スイッチレバー４のボス部４ａが傾斜部５ａと強く干渉して干渉音（異音）を発生するという不都合が生じるので、好ましい解決策とは言えない。
【０００７】
また、上述した従来の光ディスク装置のように、スイッチレバー４のボス部４ａがスイッチリブ５の頂部に乗り上げて、トレイアウトスイッチ３を押したままの状態でディスクトレイ２が停止すると、スイッチレバー４のボス部４ａを押し戻そうとするトレイアウトスイッチ３からの反発力が、スイッチレバー４のボス部４ａを介して、ディスクトレイ２のスイッチリブ５に作用するため、ディスクトレイ２の排出が停止するときや、ディスクトレイ２の挿入が開始されるときに、ディスクトレイ２が左右に横揺れすることがあり、所謂、動作品位が低下するという問題がある。
【０００８】
また、特許文献１のディスク装置も、ディスクトレイが排出されたときに、ディスクトレイに形成された突起部の直状の傾斜面によってＯＮ・ＯＦＦレバーの円形押し部がスイッチの方へ押されて突起部に乗り上げる点において、前述した従来の光ディスク装置と同じ構成であるから、上記と同様の問題がある。
【０００９】
本発明は上記事情の下になされたもので、その解決しようとする課題は、ディスクトレイの停止位置のバラツキが少なく、望ましくはディスクトレイの排出停止時や挿入開始時の横揺れも生じない光ディスク装置を、コストアップを招かないで提供することにある。
【課題を解決するための手段】
【００１０】
上記の課題を解決するため、本発明に係る光ディスク装置は、トレイアウトスイッチとこのスイッチを作動させるスイッチレバーを設けたローダーシャーシの内側にディスクトレイを挿入・排出自在に装着し、ディスクトレイが停止位置の手前まで排出されると、ディスクトレイに形成したスイッチリブの直状の傾斜部でスイッチレバーが押されてトレイアウトスイッチが作動し、ディスクトレイの駆動モータへの電圧供給が停止されるようにした光ディスク装置において、上記直状の傾斜部に代えて凹曲形状の傾斜部を上記スイッチリブに形成したことを特徴とするものである。
【００１１】
本発明の光ディスク装置においては、上記凹曲形状の傾斜部が円弧形状の傾斜部であることが好ましい。また、スイッチレバーがスイッチリブの凹曲形状の傾斜部で押されてトレイアウトスイッチを作動させる範囲まで到達したときの上記傾斜部のスイッチレバー押圧箇所の傾斜角（ディスクトレイの移動方向に対する傾斜角）を４５°以上に設定すると共に、上記傾斜部のスイッチリブ頂部側の端部の傾斜角（ディスクトレイの移動方向に対する傾斜角）を６０°以下に設定することが好ましい。ここに、傾斜部のスイッチレバー押圧箇所の傾斜角とは、その箇所の接線の傾斜角を意味し、同様に、傾斜部のスイッチリブ頂部側の端部の傾斜角とは、その端部の接線の傾斜角を意味する。
【００１２】
更に望ましい本発明の光ディスク装置は、トレイアウトスイッチとこのスイッチを作動させるスイッチレバーを設けたローダーシャーシの内側にディスクトレイを挿入・排出自在に装着し、ディスクトレイが停止位置の手前まで排出されると、ディスクトレイに形成したスイッチリブの直状の傾斜部でスイッチレバーが押されてトレイアウトスイッチが作動し、ディスクトレイの駆動モータへの電圧供給が停止されるようにした光ディスク装置において、
上記直状の傾斜部に代えて凹曲形状の傾斜部を上記スイッチリブに形成し、
上記スイッチレバーが凹曲形状の傾斜部で押されて上記トレイアウトスイッチを作動させる範囲まで到達したときの上記傾斜部のスイッチレバー押圧箇所の傾斜角（ディスクトレイの移動方向に対する傾斜角）を４５°以上に設定すると共に、上記傾斜部のスイッチリブ頂部側の端部の傾斜角（ディスクトレイの移動方向に対する傾斜角）を６０°以下に設定し、
スイッチレバーがスイッチリブを乗り越えてトレイアウトスイッチから離れた後にディスクトレイが停止するように、ディスクトレイの移動方向に沿ってスイッチリブの長さを短縮すると共に、この短縮したスイッチリブをディスクトレイの排出方向へ少しシフトさせ、スイッチリブの上記傾斜部と反対側に逆傾斜した傾斜部を形成したことを特徴とするものである。
【発明の効果】
【００１３】
本発明の光ディスク装置のように、直状の傾斜部に代えて、凹曲形状の傾斜部（以下、凹曲傾斜部と記す）、好ましくは円弧形状の傾斜部をスイッチリブに形成すると、図６に模式的に示すように、トレイアウトスイッチ３が作動する範囲（破線Ｌ１から破線Ｌ２までの範囲）にスイッチレバー４を押す凹曲傾斜部５０ａの有効押圧領域（Ｐ点からＱ点までの領域）の傾斜角（ディスクトレイの移動方向に対する傾斜角）が、従来の直状の傾斜部５ａの傾斜角より大きくなるため、ディスクトレイの停止位置のバラツキの範囲（一点鎖線Ｌ３から一点鎖線Ｌ４までの範囲）を減少させることができる。しかも、凹曲傾斜部５０ａのスイッチリブ底部側の端部の傾斜角は小さく、上記の有効押圧領域に近づくにつれて傾斜角が徐々に大きくなるので、凹曲傾斜部５０ａとスイッチレバー４との干渉は最初は弱く、その後徐々に強くなる。従って、最初から強く干渉する従来の直状の傾斜部５ａのように異音（干渉音）を生じることはない。
【００１４】
特に、スイッチレバーが凹曲傾斜部で押されてトレイアウトスイッチを作動させる範囲まで到達したときの上記凹曲傾斜部のスイッチレバー押圧箇所の傾斜角（ディスクトレイの移動方向に対する傾斜角）を４５°以上に設定すると共に、上記傾斜部のスイッチリブ頂部側の端部の傾斜角（ディスクトレイの移動方向に対する傾斜角）を６０°以下に設定した光ディスク装置は、傾斜角が４５°〜６０°の凹曲傾斜部の有効押圧領域でスイッチレバーを押してトレイアウトスイッチを作動させることになるため、トレイアウトスイッチの作動のバラツキの範囲に比べてディスクトレイの停止位置のバラツキの範囲の方を大きく減少させることが可能となり、しかも、最大傾斜角が６０°であるため、スイッチレバーを押す動作に支障が出たり、干渉音が発生することもない。
【００１５】
また、本発明の更に望ましい光ディスク装置のように、スイッチレバーがスイッチリブを乗り越えてトレイアウトスイッチから離れた後にディスクトレイが停止するように、ディスクトレイの移動方向に沿ってスイッチリブの長さを短縮すると共に、この短縮したスイッチリブをディスクトレイの排出方向へ少しシフトさせ、スイッチリブの上記凹曲傾斜部と反対側に逆傾斜した傾斜部を形成したものは、ディスクトレイが停止するときに、ディスクトレイのスイッチリブがスイッチレバーを介してトレイアウトスイッチからの反発力を受けることがないので、ディスクトレイの排出停止時や挿入開始時にディスクトレイに横揺れが生じるのを防止することが可能となり、動作品位を高めることができる。そして、ディスクトレイを挿入するときは、スイッチレバーが逆傾斜した傾斜部からスイッチリブをスムーズに乗り越えることができる。
【００１６】
上記の作用効果を発揮する本発明の光ディスク装置は、ディスクトレイの成形金型を僅かに変更してスイッチリブの形状を変えるだけでよく、部品点数や組立工数の増加を招くことがないので、実質的なコストアップを招くことなく製造することができる。
【発明を実施するための最良の形態】
【００１７】
以下、図面を参照して本発明の具体的な実施形態を詳述する。
【００１８】
図１は本発明の一実施形態に係る光ディスク装置の平面図、図２はディスクトレイを省略した同光ディスク装置の平面図、図３はディスクトレイを一部切り欠いて示す同光ディスク装置の要部拡大平面図、図４は同光ディスク装置のスイッチリブの凹曲傾斜部の説明図、図５は同光ディスク装置のディスクトレイの制御動作を示すタイミングチャート、図６は同光ディスク装置の作用効果を説明する模式図である。
【００１９】
この光ディスク装置は、図２に示すように、合成樹脂製のローダーシャーシ１の内側に、合成樹脂製のトラバースシャーシ６が、その後端両側部において取付ネジ７とゴムダンパー８を用いて上下揺動可能に取付けられており、このトラバースシャーシ６には光ピックアップ９とターンテーブル１０が搭載されている。
【００２０】
この光ピックアップ９は、そのラック９ａと噛み合うピニオン１１の回転により、ガイド軸１２ａ，１２ｂに沿ってターンテーブル１０に対し接近、離反自在となっており、ターンテーブル１０に接近しながらレーザービームを対物レンズ９ｂから光ディスクに照射して、記録・再生を行うようになっている。
【００２１】
また、ターンテーブル１０は、トラバースシャーシ６に搭載されたスピンドルモータ（不図示）の出力軸に固定され、トラバースシャーシ６が上方に回動したときに、このターンテーブル１０とその真上のクランパー１３との間に光ディスクの中央開口縁を挟んで光ディスクを回転させるようになっている。このクランパー１３は、ローダーシャーシ１に一体成形されたブリッジ部１ａの中央のクランパー保持部１ｂに回転自在に保持されている。
【００２２】
トラバースシャーシ６の前端部には、合成樹脂製のレバーシフト１４が取付固定されており、このレバーシフト１４には前方へ突き出す二つの凸部１４ａ，１４ｂが形成されている。そして、これらの凸部１４ａ，１４ｂが挿入されるカム溝１５ａ，１５ｂを形成した合成樹脂製のカムスライダー１５が、ローダーシャーシ１の前枠部１ｃにスライド可能に取付けられており、このカムスライダー１５の右端のラック１５ｃがピニオン１６と噛合するようになっている。従って、ピニオン１６がラック１５ｃと噛合して回転すると、カムスライダー１５が左右にスライドし、そのカム溝１５ａ，１５ｂに沿ってレバーシフト１４の凸部１４ａ，１４ｂが摺動しながら上下動するため、トラバースシャーシ６は後端両側部の取付部分を支点として上下に揺動するようになっている。
【００２３】
ローダーシャーシ１の前枠部１ｃの右端近傍箇所には、トレイアウトスイッチ３と、該スイッチ３を作動させるスイッチレバー４が取付けられている。このスイッチレバー４は、図３に示すように、トレイアウトスイッチ３のプッシュピン３ａを押し込む円形のボス部４ａをスイッチレバー先端に一体形成したもので、その基端部がローダーシャーシ１の前枠部１ｃに回動自在に取付けられている。
【００２４】
また、図１に示すように、光ディスクを載せて挿入、排出されるディスクトレイ２は、前記のトラバースシャーシ６とブリッジ部１ａとの間に配置されてローダーシャーシ１の内側に挿入・排出可能に取付けられており、このディスクトレイ２の裏面の右側縁部にはラック２ａが挿入・排出方向（Ｘ−Ｙ方向）に形成されている。このラック２ａには、前記のピニオン１６が噛み合うようになっており、ピニオン１６が回転すると、ディスクトレイ２が挿入・排出されるようになっている。尚、このピニオン１６と、光ピックアップ９のラック９ａに噛み合う前記ピニオン１１は、駆動力伝達歯車機構（不図示）を介して、駆動モータ（不図示）から駆動力が伝達されるようになっている。
【００２５】
図１に示すように、このディスクトレイ２の後部右側端の裏面には、本発明の特徴とするスイッチリブ５０が内側に向かって突設されている。このスイッチリブ５０は、ディスクトレイ２が停止位置の手前まで排出されたときに、スイッチレバー４をトレイアウトスイッチ３の方へ押して該スイッチ３を作動（オン）させ、ディスクトレイ２の駆動モータへの電圧供給を停止してディスクトレイ２を停止させるものであって、図３に示すように、このスイッチリブ５０の排出方向Ｙ側には、凹曲傾斜部５０ａ（凹曲形状の傾斜部）が形成されており、挿入方向Ｘ側には、凹曲傾斜部５０ａと逆傾斜の直状の傾斜部５０ｂが形成されている。
【００２６】
この凹曲傾斜部５０ａは円弧形状に凹曲された傾斜部であって、図４に模式的に示すように、この凹曲傾斜部５０ａで押されたスイッチレバー４のボス部４ａが、トレイアウトスイッチ３を作動（オン）させる範囲（破線Ｌ１から破線Ｌ２までの作動バラツキ範囲）まで到達したときの、凹曲傾斜部５０ａのスイッチレバー押圧箇所Ｐ１の傾斜角（ディスクトレイの移動方向Ｘ−Ｙに対する傾斜角）が４５°以上に設定されており、かつ、凹曲傾斜部５０ａのスイッチリブ頂部側の端部Ｅ１の傾斜角（ディスクトレイの移動方向に対する傾斜角）が６０°以下に設定されている。
【００２７】
従って、このスイッチリブ５０は、傾斜角が４５°〜６０°の凹曲傾斜部５０ａの有効押圧領域（Ｐ１からＥ１までの領域）でスイッチレバー４のボス部４ａを押してトレイアウトスイッチ３を作動（オン）させることになるため、ディスクトレイ２の停止位置のバラツキの範囲（一点鎖線Ｌ３から一点鎖線Ｌ４までの範囲）を、トレイアウトスイッチ３の作動のバラツキの範囲よりも減少させることができる。しかも、凹曲傾斜部５０ａのスイッチリブ底部側の端部Ｅ２の傾斜角は小さく、スイッチリブ頂部側の端部Ｅ１に近づくにつれて傾斜角が徐々に大きくなり、スイッチリブ頂部側の端部Ｅ１の最大傾斜角が６０°以下であるから、スイッチレバー４のボス部４ａと凹曲傾斜部５０ａとの干渉音が発生したり、スイッチレバー４を押す動作に支障が出たりする心配はない。
【００２８】
また、このスイッチリブ５０は、図３に示すように、スイッチレバー４のボス部４ａがスイッチリブ５０を乗り越えてトレイアウトスイッチ３のプッシュピン３ａから離れた後にディスクトレイ２が停止するように、スイッチリブ５０の頂部５０ｃを短くして、スイッチリブ５０のＸ−Ｙ方向（ディスクトレイの移動方向）の長さＡを従来のスイッチリブ５よりも短縮すると共に、ディスクトレイ２の排出方向Ｙに少しシフトさせて形成されており、既述したように、凹曲傾斜部５０ａと反対側には逆傾斜した傾斜部５０ｂが形成されている。
【００２９】
従って、ディスクトレイ２が停止するときに、ディスクトレイ２のスイッチリブ５０がスイッチレバー４のボス部４ａを介してトレイアウトスイッチ３のプッシュピン３ａからの反発力を受けることがないので、ディスクトレイ２の排出停止時や挿入開始時にディスクトレイ２に横揺れが生じるのを防止することが可能となり、動作品位を高めることができる。そして、ディスクトレイ２を挿入するときは、スイッチレバー４のボス部４ａが逆傾斜した傾斜部５０ｂからスイッチリブをスムーズに乗り越えることができる。
【００３０】
以上のような構成の光ディスク装置は、ディスクトレイ２が排出されたトレイオープンの状態では、カムスライダー１５が左側にスライドし、トラバースシャーシ６が下降している。このトレイオープンの状態で光ディスクをディスクトレイ２に載せて、裏面のラック２ａに噛み合うピニオン１６を回転させながらローダーシャーシ１に挿入すると、カムスライダー１５のラック１５ｃがピニオン１６と噛み合い、カムスライダー１５が図２のように右方向にスライドしてトラバースシャーシ６が上方に回動し、光ディスクがターンテーブル１０とクランパー１３とで挟持されて回転する。すると、光ピックアップ９のラック９ａに噛み合うピニオン１１が回転して、光ピックアップ９がガイド軸１２ａ，１２ｂに沿ってターンテーブル１０の方へ移動しながら、対物レンズ９ｂからレーザービームを光ディスクに照射し、記録・再生が行われる。
【００３１】
そして、記録・再生が終わると、上記と逆動作して、光ディスクを載せたディスクトレイ２が排出され、停止位置の手前で、ディスクトレイ２に形成されたスイッチリブ５０の凹曲傾斜部５０ａによってスイッチレバー４のボス部４ａが押されてトレイアウトスイッチ３が作動（オン）し、ディスクトレイ２の駆動モータへの電圧供給が停止されてディスクトレイ２は停止するが、既述したように、スイッチリブ５０の傾斜部を、その有効押圧領域の傾斜角が４５°〜６０°である凹曲傾斜部５０ａとなし、且つ、スイッチリブ５０の長さを短縮して排出方向Ｙに少しシフトして形成しているため、ディスクトレイ２の停止位置のバラツキが少なく、ディスクトレイ２の横揺れも防止できるようになり、動作品位が向上するといった顕著な効果を得ることができる。
【００３２】
次に、図５のタイミングチャートに基づいて、このディスクトレイ２の制御動作を説明する。ディスクトレイ２の駆動モータに正電圧が供給されて、ディスクトレイ２の排出が開始されると、図示しないトレイインスイッチがオンからオフに変わる。そして、ディスクトレイ２の停止位置の手前で、スイッチリブ５０の凹曲傾斜部５０ａによってスイッチレバー４のボス部４ａが押されてトレイアウトスイッチ３がオンに変わると、この信号の立ち上がりに同期して駆動モータへの電圧供給が停止され、一定時間後にディスクトレイ２がトレイオープンの状態で停止する。このとき、既述したように、スイッチリブ５０の傾斜部を、その有効押圧領域の傾斜角が４５°〜６０°である凹曲傾斜部５０ａとなしているため、トレイアウトスイッチ３の作動バラツキ範囲が広くても、トレイアウトスイッチ３がオンに変わるタイミングのバラツキは少なくなるので、ディスクトレイ２の停止位置のバラツキを減少させることができる。また、このトレイアウトスイッチ３は、一旦オンに変わった後、ディスクトレイ２が停止するまでの間にオフに戻り、プッシュピン３ａがスイッチレバー４のボス部４ａを介してディスクトレイ２のスイッチリブ５０に反発力を加えることがなくなるので、ディスクトレイ２の停止時に横揺れが生じるのを防止できる。
【００３３】
このトレイオープンの状態でディスクトレイ２の駆動モータに負電圧が供給されると、ディスクトレイ２の挿入が開始される。しかし、この時にも、トレイアウトスイッチ３はオフであり、プッシュピン３ａがスイッチレバー４のボス部４ａを介してディスクトレイ２のスイッチリブ５０に反発力を加えることがないので、ディスクトレイ２の挿入開始時に横揺れが生じるのを防止できる。また、ディスクトレイ２の挿入が開始された少し後には、トレイアウトスイッチ３が一旦オンになるが、この場合は無視されて、このトレイアウトスイッチ３は直ぐにオフに戻る。そして、ディスクトレイ２の挿入が完了すると、トレイインスイッチがオンに戻り、駆動モータへの電圧供給が停止される。
【００３４】
以上、代表的な実施形態を挙げて本発明の光ディスク装置を説明したが、本発明はこの実施形態のみに限定されるものではなく、例えば、スイッチリブの凹曲傾斜部として、スイッチリブ底辺側の端部からスイッチリブ頂部側の端部に近づくほど曲率半径が徐々に小さくなる凹曲形状を備えた傾斜部を形成するなど、種々の変更態様を許容し得るものである。
【図面の簡単な説明】
【００３５】
【図１】本発明の一実施形態に係る光ディスク装置の平面図である。
【図２】ディスクトレイを省略した同光ディスク装置の概略平面図である。
【図３】ディスクトレイを一部切り欠いて示す同光ディスク装置の要部拡大平面図である。
【図４】同光ディスク装置のスイッチリブの凹曲傾斜部の説明図である。
【図５】同光ディスク装置のディスクトレイの制御動作を示すタイミングチャートである。
【図６】同光ディスク装置の作用効果を説明する模式図である。
【図７】ディスクトレイを一部切り欠いて示す従来の光ディスク装置の部分拡大平面図である。
【図８】従来の光ディスク装置の問題点を説明する模式図である。
【符号の説明】
【００３６】
１    ローダーシャーシ
２    ディスクトレイ
３    トレイアウトスイッチ
３ａ  プッシュピン
４    スイッチレバー
４ａ  ボス部
５０  スイッチリブ
５０ａ  凹曲傾斜部（凹曲形状の傾斜部）
５０ｂ  逆傾斜の傾斜部
５０ｃ  頂部
Ｐ１  スイッチレバーが凹曲傾斜部で押されてトレイアウトスイッチを作動させる範囲まで到達したときの凹曲傾斜部のスイッチレバー押圧箇所
Ｘ−Ｙ  ディスクトレイの移動方向
Ｙ    ディスクトレイの排出方向
Ａ    スイッチリブの長さ
【図１】
2008243301.tif 000003
【図２】
2008243301.tif 000004
【図３】
2008243301.tif 000005
【図４】
2008243301.tif 000006
【図５】
2008243301.tif 000007
【図６】
2008243301.tif 000008
【図７】
2008243301.tif 000009
【図８】
2008243301.tif 000010